(57)【要約】  保護編組スリーブ（１０）およびその構築方法が提供される。編組スリーブは、両端部（１６、１８）間で中心長手方向軸（１４）に沿って長手方向に延在する、継ぎ目のない周方向に連続した管状壁（１２）を備える。壁（１２）は、互いに編組みされた複数のヤーン（２０）を含む。複数のヤーン（２０）を互いに固定された関係で繋止して壁（１２）の拡張を阻止するように、ヤーン（２０）のうち少なくとも１つが活性化可能である。
2020528969.tif 000002
【特許請求の範囲】
【請求項１】
両端部間で中心長手方向軸に沿って長手方向に延在する、継ぎ目のない周方向に連続した管状壁を備え、前記管状壁は、互いに編組みされた複数のヤーンを含み、前記複数のヤーンのうち少なくとも１つは、前記複数のヤーンを互いに対して固定された関係で繋止して、前記管状壁の拡張を妨げるように活性化可能である、保護編組スリーブ。
【請求項２】
前記少なくとも１つの活性化可能なヤーンは、前記複数のヤーンのうち隣接するヤーンの溶融、固化、および互いに対する結合を行うように設けられた低溶融ヤーンを含む、請求項１に記載の保護編組スリーブ。
【請求項３】
当該管状壁は活性化不可能なヤーンを含み、前記少なくとも１つの活性化可能なヤーンは、前記活性化不可能なヤーンと比較して低い溶融温度を有する、請求項２に記載の保護編組スリーブ。
【請求項４】
前記少なくとも１つの活性化可能なヤーンおよび前記活性化不可能なヤーンは、互いに等しい数の端部に設けられている、請求項３に記載の保護編組スリーブ。
【請求項５】
前記活性化可能なヤーンおよび前記活性化不可能なヤーンは、それぞれ１：１の編組パターンで編組みされており、前記活性化可能なヤーンおよび前記活性化不可能なヤーンは、逆のＳおよびＺ螺旋方向に互いに交互になっている、請求項４に記載の保護編組スリーブ。
【請求項６】
前記活性化可能なヤーンおよび前記活性化不可能なヤーンは、それぞれ１：２の編組パターンで編組みされており、前記活性化可能なヤーンおよび前記活性化不可能なヤーンは、逆のＳおよびＺ螺旋方向に互いに交互になっている、請求項３に記載の保護編組スリーブ。
【請求項７】
前記活性化可能なヤーンおよび前記活性化不可能なヤーンは、それぞれ１：３の編組パターンで編組みされており、前記活性化可能なヤーンおよび前記活性化不可能なヤーンは、逆のＳおよびＺ螺旋方向に互いに交互になっている、請求項３に記載の保護編組スリーブ。
【請求項８】
前記活性化可能なヤーンおよび前記活性化不可能なヤーンは、それぞれ２：１の編組パターンで編組みされており、前記活性化可能なヤーンおよび前記活性化不可能なヤーンは、逆のＳおよびＺ螺旋方向に互いに交互になっている、請求項３に記載の保護編組スリーブ。
【請求項９】
前記活性化可能なヤーンおよび前記活性化不可能なヤーンは、それぞれ３：１の編組パターンで編組みされており、前記活性化可能なヤーンおよび前記活性化不可能なヤーンは、逆のＳおよびＺ螺旋方向に互いに交互になっている、請求項３に記載の保護編組スリーブ。
【請求項１０】
前記少なくとも１つの活性化可能なヤーンは、内側コアと前記内側コアの溶融温度よりも低い溶融温度を有する活性化可能な外側シースとを有する複合ヤーンを含む、請求項２に記載の保護編組スリーブ。
【請求項１１】
前記内側コアは熱硬化可能である、請求項１０に記載の保護編組スリーブ。
【請求項１２】
前記外側シースおよび前記内側コアは、同じ温度でそれぞれ溶融および熱硬化するように活性化可能である、請求項１０に記載の保護編組スリーブ。
【請求項１３】
前記複数のヤーンの全体は、前記複数のヤーンのうち隣接するヤーンの溶融、固化、および互いの結合を行うように設けられた低溶融材料を含む、請求項１に記載の保護編組スリーブ。
【請求項１４】
前記複数のヤーンのうち少なくとも１つは活性化不可能である、請求項１に記載の保護編組スリーブ。
【請求項１５】
前記少なくとも１つの活性化可能なヤーンは熱収縮性である、請求項１に記載の保護編組スリーブ。
【請求項１６】
前記複数のヤーンを互いに固定された関係で繋止して前記管状壁の拡張を妨げるように前記活性化可能なヤーンは活性化される、請求項１に記載の保護編組スリーブ。
【請求項１７】
前記管状壁は活性化不可能なヤーンを含み、前記少なくとも１つの活性化可能なヤーンは、前記複数のヤーンを互いに固定された関係で繋止して前記管状壁の拡張を阻止するように溶融および固化が行われる、請求項１６に記載の保護編組スリーブ。
【請求項１８】
保護編組スリーブを構築する方法であって、
複数のヤーンを互いに編組みして、中心長手方向軸に沿って長手方向に延在する継ぎ目のない管状壁を形成することと、
活性化されると前記管状壁の前記複数のヤーンを互いに対して繋止する活性化可能なヤーンである、前記複数のヤーンのうち少なくとも１つを設けることとを備える、方法。
【請求項１９】
前記複数のヤーンのうち隣接するヤーンの選択的な溶融、固化、および好適な熱源を加えることによる互いの結合を行うように、前記少なくとも１つの活性化可能なヤーンを低溶融ヤーンとして設けることをさらに備える、請求項１８に記載の方法。
【請求項２０】
活性化不可能なヤーンを含む前記管状壁を編組みすることをさらに備え、前記少なくとも１つの活性化可能なヤーンは、前記活性化不可能なヤーンと比較して低い溶融温度を有する、請求項１９に記載の方法。
【請求項２１】
前記少なくとも１つの活性化可能なヤーンおよび前記活性化不可能なヤーンを互いに等しい数の端部に編組みすることをさらに備える、請求項２０に記載の方法。
【請求項２２】
前記活性化可能なヤーンおよび前記活性化不可能なヤーンをそれぞれ１：１の編組パターンで編組みすることをさらに備え、前記活性化可能なヤーンおよび前記活性化不可能なヤーンは、逆のＳおよびＺ螺旋方向に互いに交互になっている、請求項２１に記載の方法。
【請求項２３】
前記活性化可能なヤーンおよび前記活性化不可能なヤーンをそれぞれ１：２の編組パターンで編組みすることをさらに備え、前記活性化可能なヤーンおよび前記活性化不可能なヤーンは、逆のＳおよびＺ螺旋方向に互いに交互になっている、請求項２０に記載の方法。
【請求項２４】
前記活性化可能なヤーンおよび前記活性化不可能なヤーンをそれぞれ１：３の編組パターンで編組みすることをさらに備え、前記活性化可能なヤーンおよび前記活性化不可能なヤーンは、逆のＳおよびＺ螺旋方向に互いに交互になっている、請求項２０に記載の方法。
【請求項２５】
前記活性化可能なヤーンおよび前記活性化不可能なヤーンをそれぞれ２：１の編組パターンで編組みすることをさらに備え、前記活性化可能なヤーンおよび前記活性化不可能なヤーンは、逆のＳおよびＺ螺旋方向に互いに交互になっている、請求項２０に記載の方法。
【請求項２６】
前記活性化可能なヤーンおよび前記活性化不可能なヤーンをそれぞれ３：１の編組パターンで編組みすることをさらに備え、前記活性化可能なヤーンおよび前記活性化不可能なヤーンは、逆のＳおよびＺ螺旋方向に互いに交互になっている、請求項２０に記載の方法。
【請求項２７】
内側コアと前記内側コアの溶融温度よりも低い溶融温度を有する活性化可能な外側シースとを有する複合ヤーンとして、前記少なくとも１つの活性化可能なヤーンを設けることをさらに備える、請求項１９に記載の方法。
【請求項２８】
熱硬化可能な前記内側コアを設けることをさらに備える、請求項２７に記載の方法。
【請求項２９】
同じ温度でそれぞれ溶融および熱硬化するように前記外側コアと活性化可能な前記内側コアとを設けることをさらに備える、請求項２７に記載の方法。
【請求項３０】
前記複数のヤーンのうち隣接するヤーンの溶融、固化、および互いの結合を行うように、低溶融材料を含む前記複数のヤーンの全体を設けることをさらに備える、請求項１８に記載の方法。
【請求項３１】
活性化不可能な前記ヤーンのうち少なくとも１つを設けることをさらに備える、請求項１８に記載の方法。
【請求項３２】
熱収縮性の前記少なくとも１つの活性化可能なヤーンを設けることをさらに備える、請求項１８に記載の方法。
【請求項３３】
前記少なくとも１つの活性化可能なヤーンを活性化させることと、前記複数のヤーンを互いに対するシフト移動に対して固定することとをさらに備える、請求項１８に記載の方法。
【発明の詳細な説明】
【技術分野】
【０００１】
関連出願の相互参照
この出願は、２０１７年７月２８日に出願された米国仮特許出願番号第６２／５３８，５３４号および２０１８年７月２６日に出願された米国特許出願番号第１６／０４６，９１９号の利益を主張するものであり、これらの出願の全体を引用により本明細書に援用する。
【０００２】
発明の背景
１．技術分野
本発明は、概してテキスタイルスリーブに関し、特に編組テキスタイルスリーブに関する。
【背景技術】
【０００３】
２．関連技術
結束および引き回し目的で、さまざまな環境条件および影響に対して長尺部材を編組テキスタイルスリーブで保護することが知られている。編組スリーブは一般に、「閉鎖」壁とも呼ばれることのある、周方向に連続した継ぎ目のない壁として編組みされた壁を有する。閉鎖された編組構造の１つの知られている利点は、壁の両端部を手動で押し、圧縮された状態で物理的に保持することによって、壁を周方向に拡張して長尺部材上で壁を摺動しやすくできることである。両端部を互いに押し、壁を軸方向に圧縮された状態で手動で保持することによって、編組壁は、直径が増加し、長さが減少する。直径が増加した状態で、壁を長尺部材上に容易に配設することができる。その後、スリーブを長尺部材上に設置した後で、設置者は壁の解放および伸張を行い、それにより、壁は周方向に直径が減少し、長さが増加する。その後、スリーブを「意図した通り」の設置状態で維持するために、通常、ヤーンのシフトおよび拡張を防ぐためにテープがスリーブの少なくとも一部の周囲に巻かれて、スリーブを所望の位置に固定する。また、一般に、テープはスリーブによって保護されている長尺部材の外面に付着されて、さらにスリーブをその所望の位置に固定する。
【発明の概要】
【発明が解決しようとする課題】
【０００４】
編組壁のヤーンをそれらの意図された位置に固定するという、およびスリーブを長尺部材上の意図された位置にテープを介して固定するという前述の能力は、欠点を伴う可能性がある。たとえば、テープは個別に購入し棚卸する必要があるため、利用に際して費用がかさむ。さらに、テープは組立て中および使用中に損傷および／または汚染されることがあるため、ヤーンおよびスリーブをそれらの意図された固定位置に維持するという能力に影響を及ぼす。さらに、テープは利用の際に見苦しいことがある、または他の態様では、時間が経過するにつれて見苦しくなることがある。その上、テープの利用は大きな労力を要するため、利用に際してさらに費用がかさむ。
【課題を解決するための手段】
【０００５】
発明の概要
本発明のある態様によると、保護テキスタイルスリーブは、両端部間で中心長手方向軸に沿って長手方向に延在する、継ぎ目のない周方向に連続した管状壁を備える。管状壁は、互いに編組みされた複数のヤーンを含み、少なくとも１つの活性化可能なヤーンの選択的な活性化に際して複数のヤーンを互いに固定された関係で結合して活性化に際して編組壁の拡張を妨げるように、複数のヤーンのうち少なくとも１つまたは複数は活性化可能なヤーンであり、それによって、第２の固定機構を必要とすることなく、組立てに際して壁を所望の確認された状態に保つ。
【０００６】
本発明の他の態様によると、活性化可能なヤーンに加えて編組ヤーンは、熱収縮ヤーンが収縮すると複数のヤーンを互いに対して繋止しやすくするように熱収縮ヤーンが非熱収縮ヤーンに対して方向付けられた状態で、熱収縮ヤーンおよび非熱収縮ヤーンを含んでもよい。
【０００７】
本発明の他の態様によると、活性化可能なヤーンは、ＵＶ活性化可能である、熱活性化可能である、または化学活性化可能である、のうち少なくとも１つである。
【０００８】
本発明の他の態様によると、活性化可能なヤーンは、コアと活性化可能な外側シースとを含む複合フィラメントでもよく、外側シースはホットメルト材料でもよく、ホットメルト材料は、外側シースが溶融するとコアが溶融しない状態に維持されてスリーブに安定性および構造をもたらすように、コアと比較して低い溶融温度を有する。
【０００９】
本発明の他の態様によると、バイコンポーネントが設けられてもよく、内側コアは熱硬化可能であり、外側シースおよび内側コアは、同じ温度でそれぞれ溶融および熱硬化するように活性化可能である。
【００１０】
本発明の他の態様によると、少なくとも１つの活性化可能なヤーンは、当該複数のヤーンのうち隣接するヤーンの溶融、固化、および互いの結合を行うように設けられた低溶融ヤーン（少なくとも部分的にホットメルト材料を介して構築されている）を含んでもよい。
【００１１】
本発明の他の態様によると、管状壁は活性化不可能なヤーンを含んでもよく、少なくとも１つの活性化可能なヤーンのホットメルト材料は、活性化不可能なヤーンと比較して低い溶融温度を有する。
【００１２】
本発明の他の態様によると、少なくとも１つの活性化可能なヤーンおよび活性化不可能なヤーンは、互いに等しい数の端部に設けられてもよい。
【００１３】
本発明の他の態様によると、活性化可能なヤーンおよび活性化不可能なヤーンは、それぞれ１：１の編組パターンで編組みされてもよく、活性化可能なヤーンおよび活性化不可能なヤーンは、逆のＳおよびＺ螺旋方向に互いに交互になっている。
【００１４】
本発明の他の態様によると、活性化可能なヤーンおよび活性化不可能なヤーンは、それぞれ１：２の編組パターンで編組みされてもよく、活性化可能なヤーンおよび活性化不可能なヤーンは、逆のＳおよびＺ螺旋方向に互いに交互になっており、このため、より大きな含有量の活性化可能なヤーンを有するスリーブと比較して溶融および固化した材料の量を減らすことによって、活性化不可能なヤーンと比較して高価な活性化可能なヤーンの含有量が減少し、スリーブの可撓性が増加する。
【００１５】
本発明の他の態様によると、活性化可能なヤーンおよび活性化不可能なヤーンは、それぞれ１：３の編組パターンで編組みされてもよく、活性化可能なヤーンおよび活性化不可能なヤーンは、逆のＳおよびＺ螺旋方向に互いに交互になっている。
【００１６】
本発明の他の態様によると、活性化可能なヤーンおよび活性化不可能なヤーンは、それぞれ２：１の編組パターンで編組みされてもよく、活性化可能なヤーンおよび活性化不可能なヤーンは、逆のＳおよびＺ螺旋方向に互いに交互になっており、このため、活性化不可能なヤーンと比較して活性化可能なヤーンの数を多くすることによって、ヤーン間の結合力が増加する。
【００１７】
本発明の他の態様によると、活性化可能なヤーンおよび活性化不可能なヤーンは、それぞれ３：１の編組パターンで編組みされてもよく、活性化可能なヤーンおよび活性化不可能なヤーンは、逆のＳおよびＺ螺旋方向に互いに交互になっている。
【００１８】
本発明の他の態様によると、複数のヤーンは全体に、複数のヤーンのうち隣接するヤーンの溶融、固化、および互いの結合を行うように設けられた低溶融材料を含んでもよい。
【００１９】
本発明の他の態様によると、所望される種類の保護および固定をスリーブにもたらすように求められているように、スリーブのヤーンのうち少なくとも１つを、活性化不可能なモノフィラメントおよび／またはマルチフィラメントとして設けることができる。
【００２０】
本発明の他の態様によると、少なくとも１つの活性化可能なヤーンは熱収縮性でもよい。
【００２１】
本発明の他の態様によると、編組テキスタイルスリーブを構築する方法は、複数のヤーンを互いに編組みして、中心長手方向軸に沿って長手方向に延在する、継ぎ目のない管状壁を形成することを備えてもよく、複数のヤーンのうち少なくとも一部は、活性化されるとスリーブのヤーンと結合しこれらを互いに繋止する活性化可能なヤーンとして設けられ、これによって、第２の固定機構を必要とすることなく、組み立てに際して管状壁を所望の構成に維持する。
【００２２】
本発明の他の態様によると、この方法は、露出されたホットメルト材料を少なくとも部分的に含んで形成されたような、熱溶融性ヤーン（本明細書では低溶融ヤーンと呼ぶ）として編組活性化可能なヤーンのうち少なくとも１つまたは複数を設けることを備えてもよい。
【００２３】
本発明の他の態様によると、この方法はさらに、熱収縮ヤーンおよび非熱収縮ヤーンとしてヤーンを設けることを含んでもよく、熱収縮ヤーンは、熱収縮ヤーンが収縮するとヤーンの互いに対する繋止を容易にするように、非熱収縮ヤーンに対して方向付けられている。
【００２４】
本発明の他の態様によると、この方法はさらに、実質的に均衡のとれた含有量の熱収縮ヤーンおよび非熱収縮ヤーンをスリーブに設けるように、スリーブの周囲で逆のＳおよびＺ螺旋方向に互いに交互になる関係で熱収縮ヤーンおよび非熱収縮ヤーンを編組みすることを備えてもよい。
【００２５】
本発明の他の態様によると、この方法はさらに、活性化可能なヤーンを、ＵＶ活性化可能なヤーン、熱活性化可能なヤーン、または化学的に活性化可能なヤーンのうち少なくとも１つとして設けることを備えてもよい。
【００２６】
本発明の他の態様によると、この方法はさらに、コアと活性化可能な外側シースとを含む複合フィラメントとして活性化可能なヤーンを設けることを備えてもよく、外側シースは、コアと比較して低い溶融温度を有するホットメルト材料でもよい。
【００２７】
本発明の他の態様によると、この方法はさらに、外側シースを溶融するために用いられる温度と同じ温度で熱硬化可能なコアを設けることを備えてもよい。
【００２８】
本発明の他の態様によると、この方法はさらに、少なくとも１つの活性化可能なヤーンおよび活性化不可能なヤーンを互いに同じ数の端部に編組みすることを備えてもよい。
【００２９】
本発明の他の態様によると、この方法はさらに、活性化可能なヤーンおよび活性化不可能なヤーンをそれぞれ１：１の編組パターンで編組みすることを備えてもよく、活性化可能なヤーンおよび活性化不可能なヤーンは、逆のＳおよびＺ螺旋方向に互いに交互になっている。
【００３０】
本発明の他の態様によると、１：１の比率を超えて活性化可能なヤーンの可撓性を向上させコストを減少させるために、この方法はさらに、活性化可能なヤーンおよび活性化不可能なヤーンをそれぞれ１：２の編組パターンで編組みすることを備えてもよく、活性化可能なヤーンおよび活性化不可能なヤーンは、逆のＳおよびＺ螺旋方向に互いに交互になっている。
【００３１】
本発明の他の態様によると、１：２の比率を超えて活性化可能なヤーンの可撓性を向上させコストを減少するために、この方法はさらに、活性化可能なヤーンおよび活性化不可能なヤーンをそれぞれ１：３の編組パターンで編組みすることを備えてもよく、活性化可能なヤーンおよび活性化不可能なヤーンは、逆のＳおよびＺ螺旋方向に互いに交互になっている。
【００３２】
本発明の他の態様によると、１：１の比率を超えてヤーン間の剛性および結合力を向上させるために、この方法はさらに、活性化可能なヤーンおよび活性化不可能なヤーンをそれぞれ２：１の編組パターンで編組みすることを備えてもよく、活性化可能なヤーンおよび活性化不可能なヤーンは、逆のＳおよびＺ螺旋方向に互いに交互になっている。
【００３３】
本発明の他の態様によると、２：１の比率を超えてヤーン間の剛性および結合力を向上させるために、この方法はさらに、活性化可能なヤーンおよび活性化不可能なヤーンをそれぞれ３：１の編組パターンで編組みすることを備えてもよく、活性化可能なヤーンおよび活性化不可能なヤーンは、逆のＳおよびＺ螺旋方向に互いに交互になっている。
【００３４】
本発明のこれらの、ならびに他の局面、特徴、および利点は、現在好ましい実施形態および最良の形態の以下の詳細な説明、添付の特許請求の範囲、ならびに添付の図面との関連で考慮すると、より容易に明らかとなるであろう。
【図面の簡単な説明】
【００３５】
【図１】軸方向に圧縮され、事前に活性化された第１の状態で示される、本発明のある実施形態に従って構築された管状編組スリーブの概略斜視図である。
【図２】軸方向に伸張され活性化された第２の状態で示される、管状編組スリーブを有する図１と同様の図である。
【図３Ａ】本開示のある態様に係る管状編組スリーブの壁の一部の平面図である。
【図３Ｂ】本開示のある態様に係る管状編組スリーブの壁の一部の平面図である。
【図３Ｃ】本開示のある態様に係る管状編組スリーブの壁の一部の平面図である。
【図３Ｄ】本開示のある態様に係る管状編組スリーブの壁の一部の平面図である。
【図３Ｅ】本開示のある態様に係る管状編組スリーブの壁の一部の平面図である。
【図３Ｆ】本開示のある態様に係る管状編組スリーブの壁の一部の平面図である。
【図４Ａ】本開示のある態様に係る管状編組スリーブの構築で用いられる活性化可能なモノフィラメントの部分図である。
【図４Ｂ】本開示のある態様に係る管状編組スリーブの構築で用いられる活性化可能な複合フィラメントの部分図である。
【発明を実施するための形態】
【００３６】
現在好ましい実施形態の詳細な説明
図面をより詳細に参照すると、図１および図２は、本発明のある態様に従って構築された管状編組保護テキスタイルスリーブ（以後、スリーブ１０と呼ぶ）を示す図である。１つの連続した編組プロセスにおいて編組みされたようなスリーブ１０は、編組みされた、周方向に連続した継ぎ目のない管状壁１２を有し、管状壁１２は、開口した両端部１６、１８間で中心長手方向軸１４に沿って長手方向に延在する貫通流路（空隙１３とも呼ばれる）の境界をつける。壁１２は組立て非活性化第１の状態を得るために軸方向に圧縮可能であり、非活性の第１状態によって、編組ヤーン２０の伸張された相対移動を介して壁１２が軸方向に圧縮されて減少した長さＬ１および増加した直径Ｄ１を有するように（図１）、かつ、編組ヤーン２０の収縮された相対移動を介して増加した長さＬ２および減少した直径Ｄ２を有するように軸方向に拡張可能になるように（図２）、概して２０で示される、壁１２を形成する複数の（２つ以上のヤーンであり、ヤーン全体以下であることが意図されている）編組ヤーンが互いに自由にシフト（摺動とも呼ばれる）する。壁１２が少なくとも部分的にまたは完全に偏って軸方向に圧縮された組み立てが容易な第１の状態である間は、壁１２を長尺部材２２の周囲で容易に組立てて保護することが可能であり、壁１２、およびそれゆえ空隙１３は、長尺部材２２に対して大きな直径を有し、その後、軸方向に拡張された第２の状態の間は、壁１２を形成する編組ヤーン２０のうち少なくとも１つまたは複数の端部（従来技術で理解されているように、端部は１つのヤーンフィラメントである）は、活性化されると選択的にヤーン２０を互いに対して固定する活性化可能なヤーン２０´として設けられて、ヤーン２０を維持しそれらの互いに対するシフトを防ぎ、それによって、壁１２をその所望の組立てられた構成（長さおよび直径）でおよび長尺部材２２に対する位置で維持する。したがって、スリーブ１０は、テープおよびタイラップなどの第２の固定機構を必要とすることなく、長尺部材２２に沿った組立て位置として意図された位置にとどまることが可能になり、これによって、組立て効率が増大し、コストが減少し、かつ、その使用可能な寿命にわたって組立品の全体的な外観が向上する。
【００３７】
壁１２全体を形成する編組ヤーン２０は、もっぱら活性化可能なヤーン２０´として設けることができる（図３Ａ）。他の態様では、壁１２を形成するヤーン２０のうちわずか１つまたは複数だが全体よりも少ないヤーン２０を、活性化可能なヤーン２０´として設けることが可能であり、残りのヤーン２０は、活性化不可能なヤーン２０´´として設けられる。活性化可能なヤーン２０´は、活性化不可能なヤーン２０´´の溶融温度よりも低い溶融温度を有するホットメルト材料からなるような熱溶融性ヤーン、および／または、架橋熱収縮ヤーン（熱収縮は、活性化されて本来の非活性化状態の長さの１０％以上、最大で９０％まで収縮可能なヤーンを表すと意図されている）などの熱溶融性ヤーンのうちの少なくとも１つとして設けられる。また、説明されたように、壁１２の一部を形成するヤーン２０は、活性化不可能なヤーン２０´´を含んでもよく、組み込まれた場合、モノフィラメントおよび／またはマルチフィラメントであろうとなかろうと、活性化不可能なヤーン２０´´が容易に熱溶融可能でもなければ（容易に加熱されて溶融できず、冷却されると溶融および固化できない）、熱収縮可能でもない（本来の長さの１０％も収縮可能でない）ように、任意の所望の種類の活性化不可能なヤーンとして設けることができる。活性化可能なヤーン２０´および活性化不可能なヤーン２０´´は、活性化不可能なヤーン２０´´が設けられる場合、所望の数の相対端部（端部は、１つのヤーンとして知られている）に設けられる。これらの相対端部は、意図された利用に求められるような、かつ、活性化可能なヤーン２０´および活性化不可能なヤーン２０´´を互いに固定する所望の力に必要とされるような、実質的に周方向に均整のとれた含有量の活性化可能なヤーン２０´および活性化不可能なヤーン２０´´をスリーブ１０に設けるように、一例だがこれらに制限されることはない、１：１（図３Ｂ）、１：２（図３Ｃ）、１：３（図３Ｄ）、３：１（図３Ｅ）、または２：１（図３Ｆ）などの、活性化不可能なヤーン２０´´に対する活性化可能なヤーン２０´の端部の所望のそれぞれの比率で逆のＳおよびＺ螺旋方向（テキスタイル技術の当業者が本明細書の開示を見れば理解できるであろう、図３Ａに示すＳおよびＺ方向）にスリーブ１０の周囲で互いに交互になっていて、より含有量の多い活性化可能なヤーン２０´が、ヤーン２０を互いに強く結合させている。活性化可能なヤーン２０´は、ＵＶ活性化可能である、熱活性化可能である、流体活性化可能である、または他の態様のうち少なくとも１つでもよい。
【００３８】
本発明の他の態様によると、１つ（または複数の）活性化可能なヤーン２０´を、１つの材料フィラメント（図４Ａ）および／または（活性化可能である、たとえば、熱硬化可能で熱硬化形状を呈する、または活性化不可能な）内側コア２４と内側コア２４を取り囲む外側シース２６とを含む複合フィラメント（図４Ｂ）の中実の一体構造の部分として設けることができ、一例として、外側シース２６は、内側コア２４の材料と比較して低い溶融温度を有するホットメルト材料でもよい。
【００３９】
使用において、活性化可能なヤーン２０´が編組みされ最初に非活性化第１の状態で維持された状態のスリーブ１０は、長尺部材２２の周囲に配設される。スリーブ１０を長尺部材２２の周囲に配設する間に、ヤーン２０´、２０´´（設けられている場合）は、壁１２が容易に軸方向に圧縮され径方向に拡張されて長尺部材２２を収容するために広げられた貫通空隙１３を設けるように、自由に互いに対して移動およびシフトする（図１）。その後、スリーブ１０を長尺部材２２の周囲で所望の位置に位置決めすると、壁１２は、長尺部材２２の周囲でぴったりフィットしたまたは接近した関係になるように、軸方向に伸張されて軸方向に細長く径方向に収縮された状態になる（図２）。その後、１つ（または複数）のヤーン２０´が、好適な熱、ＵＶ、または化学品が加えられることによって、たとえば、これらを加える任意の所望プロセスを介して活性化可能であり、活性化された１つ（または複数）のヤーン２０´は、溶融および／または収縮されて、ヤーン２０全体を互いに対して繋止する。溶融した場合、ヤーン２０は、ヤーン２０´の溶融し固化した材料を介して互いに結合され、収縮された場合、長尺部材２２によることもあるヤーン２０間に与えられた摩擦が、効果的にヤーン２０を互いに対して繋止する。したがって、ヤーン２０全体が互いに対して繋止された状態で、壁１２は、長尺部材２２の意図された位置にとどまることが保証される。さらに、複合ヤーン２０´が設けられる場合、内側コア２４は熱硬化されてその螺旋形状を保持して、径方向の剛性を増大させ、スリーブ１０の破砕およびフープ強度を増大させる一方で、上述のように、外側シース２６は溶融および固化して、ヤーン２０を互いに繋止する。なお、複合ヤーン２０´の活性化は、内側コア２４の熱硬化および外側シース２６の溶融に好適な１つの温度で行うことができる。
【００４０】
本開示の他の態様によると、編組テキスタイルスリーブ１０を構築する方法が提供される。この方法は、複数のヤーン２０を互いに編組みして、中心長手方向軸１４に沿って長手方向に延在する継ぎ目のない管状壁１２を形成することを備え、ヤーン２０のうち少なくとも一部は、熱源もしくは化学薬品が加えられると、またはＵＶ照射によって活性化されると、使用される活性化可能なヤーン２０´の種類に応じてスリーブ１０のヤーン２０を互いに対して繋止する活性化可能なヤーン２０´として設けられ、これによって、ヤーン２０の脱落および径方向の拡張を防ぐ。したがって、壁１２が、それを通って延在する長尺部材２２に対して意図された構成および位置で維持される。
【００４１】
この方法は、ホットメルト材料からなるような熱溶融性ヤーンとして活性化可能な編組ヤーン２０'のうち少なくとも１つまたは複数を設けることを備えてもよい。この方法はさらに、熱収縮ヤーンとして活性化可能なヤーン２０´のうち１つまたは複数を設けることを備えてもよく、熱溶融性ヤーン２０´および／または熱収縮ヤーン２０´は、非熱溶融性ヤーン２０´´が加熱され、溶融され、溶解されると、および／または熱収縮ヤーン２０´´が収縮されると、ヤーン２０の互いに対する繋止を容易にするように、非熱溶融性ヤーン２０´´（設けられている場合）および／または非熱収縮ヤーン２０´（設けられている場合）に対して方向付けられている。熱収縮ヤーン２０´が熱溶融性ヤーン２０´と組み合わされて設けられる場合、この方法は、共通の温度を使用して収縮および溶融を活性化するようにヤーン２０´を設けることを備えてもよく、これによってプロセスが簡略化され、活性化不可能なヤーン２０´´は、それぞれのヤーン２０´を収縮および溶融させるために用いられる温度の影響を受けない。
【００４２】
本開示の他の態様によると、この方法はさらに、スリーブの周囲で互いに交互になる関係で活性化可能な熱溶融性ヤーン２０´および／または熱収縮ヤーン２０´および活性化不可能な非熱収縮ヤーン２０´´を編組みして、実質的に均衡のとれた含有量の熱溶融性ヤーン２０´および／または熱収縮ヤーン２０´および非熱収縮ヤーン２０´´をスリーブ１０に設けることを備えてもよい。
【００４３】
本開示の他の態様によると、この方法はさらに、ＵＶ活性化可能なヤーン、熱活性化可能なヤーン、または他の態様のヤーンのうち少なくとも１つとして活性化可能なヤーン２０´を設けることを備えてもよい。
【００４４】
本開示の他の態様によると、この方法はさらに、活性化不可能なまたは活性化可能な（熱硬化可能で、溶融することなく熱硬化形状を呈する）コア２４と活性化可能な外側シース２６とを含む複合フィラメントとして活性化可能なヤーン２０´を設けることを備えてもよく、外側シース２６は、コア２４の材料の溶融温度よりも低い溶融温度を有するホットメルト溶融性材料でもよく、内側コア２４および外側シース２６は、内側コア２４の熱硬化および外側シース２６の溶融の両方に好適な同じ温度で活性化可能である。
【００４５】
上記教示に照らして、本発明の多くの修正例および変形例が可能である。なお、さらに、本発明のさまざまな態様に従って構築された編組管状壁は、例示でありこれらに限定されるわけではない保護部材または結束部材を含む多数の用途を呈する。したがって、本発明は詳細に説明された以外の態様で実施されてもよいこと、および、本発明の範囲は最終的に許可された特許請求の範囲によって定義されることを理解されたい。
【図１】
2020528969.tif 000003
【図２】
2020528969.tif 000004
【図３Ａ】
2020528969.tif 000005
【図３Ｂ】
2020528969.tif 000006
【図３Ｃ】
2020528969.tif 000007
【図３Ｄ】
2020528969.tif 000008
【図３Ｅ】
2020528969.tif 000009
【図３Ｆ】
2020528969.tif 000010
【図４Ａ】
2020528969.tif 000011
【図４Ｂ】
2020528969.tif 000012
【国際調査報告】
2020528969.tif 000013
2020528969.tif 000014
2020528969.tif 000015